【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
トッププレートと、前記トッププレート下方に設け高周波電流が供給されると前記トッププレートに載置された鍋を誘導加熱する加熱コイルと、前記加熱コイル下方に設けられ前記加熱コイルを保持する加熱コイル保持部と、トッププレート側から投影して前記加熱コイル中心から放射状に前記加熱コイル保持部に設けた複数の加熱用フェライトと、前記加熱コイルに高周波電流を供給する周波数変換装置と、前記加熱コイル保持部下方に設けられ前記加熱コイル保持部を支持する支持部と、導電性金属をループ状に形成し前記加熱コイルの外周近傍に位置させ前記加熱コイル保持部に設けた磁気シールド板とを備え、前記加熱コイルで発生し機器から周辺に漏洩する漏洩磁界を低減するため前記加熱用フェライトの下方に配置されるフェライトまたは鋼板でなる防磁手段を前記支持部に設けた誘導加熱調理器。
【請求項２】
防磁手段をトッププレート側から投影して加熱用フェライトと重ならない位置に設けた請求項１記載の誘導加熱調理器。
【請求項３】
周波数変換装置と加熱コイルの熱遮蔽を行う支持部を加熱用フェライトと周波数変換装置の間に設けた請求項１記載の誘導加熱調理器。
【請求項４】
防磁手段をトッププレート側から投影して加熱コイルの中心より放射状に設けた請求項１記載の誘導加熱調理器。
【請求項５】
防磁手段はトッププレート側から投影して加熱コイルの半径よりも長手方向に長くした請求項４記載の誘導加熱調理器。
【請求項６】
防磁手段はトッププレート側から投影して加熱コイルの外形より外側まで伸びた形状にした請求項５記載の誘導加熱調理器。
【請求項７】
防磁手段は支持部に設けられた弾性を有するつめにより固定された請求項１記載の誘導加熱調理器。
【手続補正２】
【補正対象書類名】明細書
【補正対象項目名】０００５
【補正方法】変更
【補正の内容】
【０００５】
本発明は、上記従来の課題を解決するもので、加熱コイルから発生される漏洩磁界を効率よく抑制することができる誘導加熱調理器を提供することを目的とする。
【手続補正３】
【補正対象書類名】明細書
【補正対象項目名】０００６
【補正方法】変更
【補正の内容】
【０００６】
前記従来の課題を解決するために、本発明の誘導加熱調理器は、トッププレートと、前記トッププレート下方に設け高周波電流が供給されると前記トッププレートに載置された鍋を誘導加熱する加熱コイルと、前記加熱コイル下方に設けられ前記加熱コイルを保持する加熱コイル保持部と、トッププレート側から投影して前記加熱コイル中心から放射状に前記加熱コイル保持部に設けた複数の加熱用フェライトと、前記加熱コイルに高周波電流を供給する周波数変換装置と、前記加熱コイル保持部下方に設けられ前記加熱コイル保持部を支持する支持部と、導電性金属をループ状に形成し前記加熱コイルの外周近傍に位置させ前記加熱コイル保持部に設けた磁気シールド板とを備え、前記加熱コイルで発生し機器から周辺に漏洩する漏洩磁界を低減するため前記加熱用フェライトの下方に配置されるフェライトまたは鋼板でなる防磁手段を前記支持部に設けたものである。
【手続補正４】
【補正対象書類名】明細書
【補正対象項目名】０００７
【補正方法】変更
【補正の内容】
【０００７】
トッププレート側から投影して加熱コイル中心から放射状に加熱コイル保持部に設けた複数の加熱用フェライトを備え、加熱コイルで発生し機器から周辺に漏洩する漏洩磁界を低減するため加熱用フェライトの下方に配置されるフェライトまたは鋼板でなる防磁手段を加熱コイル保持部を支持する支持部に設けることで、加熱コイルで発生し機器から周辺に漏洩する漏洩磁界を効率よく抑制することとなる。
【手続補正５】
【補正対象書類名】明細書
【補正対象項目名】０００８
【補正方法】変更
【補正の内容】
【０００８】
本発明の誘導加熱調理器は、加熱コイルから発生され機器周辺に漏洩する漏洩磁界を効率よく抑制することができる。
【手続補正６】
【補正対象書類名】明細書
【補正対象項目名】０００９
【補正方法】変更
【補正の内容】
【０００９】
第１の発明は、トッププレートと、前記トッププレート下方に設け高周波電流が供給されると前記トッププレートに載置された鍋を誘導加熱する加熱コイルと、前記加熱コイル下方に設けられ前記加熱コイルを保持する加熱コイル保持部と、トッププレート側から投
影して前記加熱コイル中心から放射状に前記加熱コイル保持部に設けた複数の加熱用フェライトと、前記加熱コイルに高周波電流を供給する周波数変換装置と、前記加熱コイル保持部下方に設けられ前記加熱コイル保持部を支持する支持部と、導電性金属をループ状に形成し前記加熱コイルの外周近傍に位置させ前記加熱コイル保持部に設けた磁気シールド板とを備え、前記加熱コイルで発生し機器から周辺に漏洩する漏洩磁界を低減するため前記加熱用フェライトの下方に配置されるフェライトまたは鋼板でなる防磁手段を前記支持部に設けることにより、加熱コイルで発生し機器から周辺に漏洩する漏洩磁界を効率よく抑制することができる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
第２発明は、防磁手段をトッププレート側から投影して加熱用フェライトと重ならない位置に設けたことにより、加熱コイルから発生される漏洩磁界を効率よく抑制することができる。
【手続補正１０】
【補正対象書類名】明細書
【補正対象項目名】００１３
【補正方法】変更
【補正の内容】
【００１３】
第３発明は、周波数変換装置と加熱コイルの熱遮蔽を行う支持部を加熱用フェライトと周波数変換装置の間に設けたことにより、加熱コイルから発生される漏洩磁界を効率よく抑制することができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
第４発明は、防磁手段をトッププレート側から投影して加熱コイルの中心より放射状に設けたことにより、加熱コイルから発生される漏洩磁界を効率よく抑制することができる。
【手続補正１３】
【補正対象書類名】明細書
【補正対象項目名】００１６
【補正方法】変更
【補正の内容】
【００１６】
第５発明は、防磁手段をトッププレート側から投影して加熱コイルの半径よりも長手方向に長くしたことにより、加熱コイルから発生される漏洩磁界を効率よく抑制することができる。
【手続補正１４】
【補正対象書類名】明細書
【補正対象項目名】００１７
【補正方法】変更
【補正の内容】
【００１７】
第６発明は、防磁手段はトッププレート側から投影して加熱コイルの外形より外側まで伸びた形状としたことにより、加熱コイルから発生される漏洩磁界を効率よく抑制することができる。
【手続補正１５】
【補正対象書類名】明細書
【補正対象項目名】００１８
【補正方法】変更
【補正の内容】
【００１８】
第７発明は、防磁手段は支持部に設けられた弾性を有する爪により固定されたことにより、安価に防磁フェライトの振動及び脱落等を防止することができる。
【手続補正１６】
【補正対象書類名】明細書
【補正対象項目名】００１９
【補正方法】削除
【補正の内容】
【手続補正１７】
【補正対象書類名】明細書
【補正対象項目名】００２６
【補正方法】変更
【補正の内容】
【００２６】
（参考の形態１）
図３は、本発明の第１の参考形態の誘導加熱調理器の加熱コイル部の平面図である。
【手続補正１８】
【補正対象書類名】明細書
【補正対象項目名】００２８
【補正方法】変更
【補正の内容】
【００２８】
（参考の形態２）
図４は、本発明の第２の参考形態の誘導加熱調理器の加熱コイル部の平面図である。
【手続補正１９】
【補正対象書類名】明細書
【補正対象項目名】００３１
【補正方法】変更
【補正の内容】
【００３１】
【図１】本発明の第１の実施形態を示す誘導加熱調理器の主要断面図
【図２】本発明の第１の実施形態を示す誘導加熱調理器の加熱コイル部の平面図
【図３】本発明の第１の参考形態を示す誘導加熱調理器の加熱コイル部の平面図
【図４】本発明の第２の参考形態を示す誘導加熱調理器の加熱コイル部の平面図
【図５】従来例を示す誘導加熱調理器の主要断面図